(57)【要約】【課題】使用する筆記用芯を変更する際に筆記用芯同士の詰まり現象が起こりにくい、多芯式筆記具を提供することである。【解決手段】先筒５の内周面は、テーパ部４３、テーパ部４３後端から伸びる肩部４４、肩部４４から軸方向後端側へ直線状に伸びる大径部４５を備える。肩部４４はテーパ部後端から先筒５の半径方向外側に向かって伸長し、その後端は半径方向に関しリフィール７よりも外側に位置している。テーパ部４３と肩部４４との境界線４７は、先筒５の半径方向において、チップ２３のテーパ面４９上に位置している。【選択図】図３
2008162246.tif 000002
【特許請求の範囲】
【請求項１】
軸筒と、
前記軸筒内に収納され、外周がテーパ状に形成されたテーパ面を有するチップをその先端部に有するボールペン用リフィールを少なくとも１本含み、前記軸筒の軸心回りに所定の間隔で配置された複数の筆記用芯と、
前記軸筒の先端側に装着され、前記内周面側において前記筆記用芯の移動を案内する先筒と、
前記軸筒の後端側に設けられるノック体を有するノック機構と、
を備え、
前記ノック体を操作することにより前記筆記用芯を選択的に先筒から突出させ、かつ、他の筆記用芯を突出させるのに連動して先に突出している芯を収容させることができる多芯式筆記具において、
前記内周面は、
前記複数の筆記用芯が形成する最大径円の径より大きい径を備えた大径部と、
前記大径部より小さい径を備えた、後端部から先端側に向かって前記チップのテーパ角度と同じもしくはそれより小さいテーパ角度で縮径するテーパ部と、
前記大径部の前端部と前記テーパ部の後端部の間で広がる肩部と、
を備え、
前記テーパ部と前記肩部との境界線が、前記先筒の半径方向において前記チップの前記テーパ面上に位置する、
ことを特徴とする多芯式筆記具。
【請求項２】
請求項１記載の多芯式筆記具において、
前記肩部は少なくとも部分的に内向きに凸となった円弧部を備え、該円弧部の一端において前記テーパ部に滑らかに繋がっている、
ことを特徴とする多芯式筆記具。
【発明の詳細な説明】
【技術分野】
【０００１】
本願発明は筆記具に関し、さらに詳しく言えば、多芯式筆記具に関する。
【背景技術】
【０００２】
従来から、例えばインクの色の異なる複数のリフィールを軸筒内に収納し、軸筒後端側にノック体を含む公知のノック機構を設けた多芯式筆記具が周知となっている。それぞれのリフィールのペン先側にはチップが設けられており、各リフィールに対応するノック体を筆記具先端側へ押し下げることにより所望のリフィールを動かし、そのチップを軸筒先端にある先端孔より突出させて使用する。その後、他の色を使用する場合には、その色に対応するノック体を押し下げることにより、ノック機構に用いられているコイルばねの付勢力で先に突出しているリフィールを元の収納位置に戻して、所望のリフィールのチップを先端孔より突出させて使用する。また、使用後は他のノック体を僅かに押し下げることで、リフィールは元の収納位置に戻ることになる。（例えば、特許文献１参照）
【０００３】
以下図１及び２を参照して多芯式ボールペンの一従来例について説明する。図１は従来の多芯式ボールペンの一例を示す断面図であり、図２は図１における先筒の拡大図である。
【０００４】
図に示すとおり、多芯式ボールペン１（以下、単に「ボールペン１」という）は、軸筒３、先筒５、リフィール７を備えている。また、ボールペン１にはノック機構９が設けられている。
【０００５】
軸筒３は筒状の部材であり、その中空部には案内部材１１が設けられている。この案内部材１１には、後述するリフィール７の外径よりも僅かに大きい内径の孔１３がリフィール７の個数分形成されており、この孔１３にリフィール７を挿通させることにより、リフィール７を軸筒３内にその軸心周りに等間隔で収納する。軸筒３の後端側にはノック棒１５を含む公知のノック機構９が設けられており、このノック棒１５は軸筒３後端側の壁面に形成された切り欠き１７から僅かに突出している。
【０００６】
先筒５は略円錐状の中空の部材であり、その後端側外周面に雄ネジ部１９が所定の範囲に渡って設けられている。この雄ネジ部１９は、軸筒３の先端側内周面に設けられた雌ネジ部２１と螺合し、これにより軸筒３と先筒５は一体化される。また、先筒５のペン先側端部には後述するリフィール７のチップ２３が挿通される先端孔２７が設けられている。
【０００７】
リフィール７は先端側が径小になるテーパ状のチップ２３と、チップ２３の基端部に装着された筒状のインク保持体２５からなる。このインク保持体２５の後端部にはノック棒１５の端部が圧入される。これによりノック棒１５とリフィール７が連結されることとなる。
【０００８】
以上のような構成を備えるボールペン１において、チップ２３先端の外周面は所定の角度（例えば両側で挟むテーパ角が３０°くらい）でテーパ状になっている。したがって、従来の多芯式筆記具においては、チップ２３の先端が先筒５の内周面に触れることにより先端のボールを損傷したり、内周面が汚れるのを防ぐため、先筒５の内周面をチップ２３のテーパ角と同じもしくはそれより若干小さい角度でテーパ状に形成している。
【０００９】
また、先端孔２７の径は、チップ２３を突出させることができ、かつ、チップ２３を安定的に支持することができよう実質上その大きさに制限がある。さらに、ノック棒１５を押し下げるストロークは長すぎても短すぎても使い勝手が悪くなってしまうため、所定の範囲に収まるよう制約がある。さらに軸筒についても使用上その太さには限度がある
【００１０】
以上のような各種の制約のため、軸筒３内に配置されたリフィール７は、図２に実線で示すフリーな状態ではなく、破線で示すようにチップ２３が先筒５の内周面に接触し、その先端側が内側へ湾曲し、このためチップ２３同士は互いに接触又は限りなく接近した状態で配置されている。このような状態で所望のノック棒１５をペン先側へ押し下げると、対応するリフィール７は他のリフィール７を押しのけるようにしてそのチップ２３が先端孔２７から突出する位置まで移動する。すなわち押し出されたリフィール７は他のリフィール７に接触状態にある。
【００１１】
この状態から他の色を使用するために他のリフィール７を押し出すと、先に突出していたリフィール７は他のリフィール７との摩擦によりその戻り運動が遅延し、押し出されたリフィール７の動きが早いと、そのリフィール７と戻ろうとするリフィール７とが先筒５内で詰まってしまい移動できなくなるいわゆる詰まり現象を起こす場合がある。
【特許文献１】特許３４２９７１７号公報
【発明の開示】
【発明が解決しようとする課題】
【００１２】
本願発明は以上のような従来技術の有する問題点に着目してなされたものである。その目的とするところは、筆記用芯を早く動かしても詰まり現象が生じ難い多芯式筆記具を提供することである。
【課題を解決するための手段】
【００１３】
上記目的を達成するため、請求項１記載の発明は以下の手段を採用する。すなわち、軸筒と、前記軸筒内に収納され、外周がテーパ状に形成されたテーパ面を有するチップをその先端部に有するボールペン用リフィールを少なくとも１本含む複数の筆記用芯と、前記軸筒の先端側に装着され、内周面側に前記チップのテーパ角度より小さいテーパ角度を有するテーパ部を備え、前記内周面側において前記筆記用芯の移動を案内する先筒と、前記軸筒の後端側に設けられるノック体を有するノック機構と、を備え、前記ノック体を操作することにより前記筆記用芯を選択的に先筒から突出させ、かつ、他の筆記用芯を突出させるのに連動して先に突出している芯を収容させることができる多芯式筆記具において、前記内周面は前記筆記用芯に接触しない大径部を備え、前記内周面はさらに前記テーパ部と前記大径部とを繋ぐ肩部を備え、前記テーパ部と前記肩部との境界線が、前記先筒の半径方向において前記チップの頂点よりも外側に位置する、ことを特徴とする多芯式筆記具である。
【００１４】
なお、本願発明に係る多芯式筆記具の筆記用芯はリフィールを少なくとも一本含んでいれば良く、リフィールのほかに例えばシャープペンタイプの筆記用芯を含んでいてもよい。
【００１５】
請求項２記載の発明は、請求項１記載の多芯式筆記具において、前記肩部が内向きに凸となった円弧状に形成され、前記テーパ部に滑らかに繋がっている、ことを特徴とする多芯式筆記具である。
【発明の効果】
【００１６】
本願発明によれば、繰出される芯と他の芯との間に生じる摩擦を軽減し、使用する筆記用芯を変更する際に筆記用芯同士の詰まり現象が起こりにくい、多芯式筆記具を提供することができる。
【発明を実施するための最良の形態】
【００１７】
以下本発明を具体化した実施形態を図面に基づいて説明するが、従来例と同じ部材は同一の符号で示している。まず、図３を参照して第１の実施形態を説明する。図３は多芯式ボールペンの先筒における拡大断面図である。
【００１８】
第１の実施形態に係る多芯式ボールペン４１の基本的構成は前記従来例と同様であるが、先筒５の内周面の形状が相違する。すなわち本実施形態の先筒５の内周面は、その軸方向先端からチップ２３のテーパ角度と同じもしくはそれより小さいテーパ角度でテーパ状に形成されたテーパ部４３と、テーパ部４３の後端から径方向外方へ広がる肩部４４と、肩部４４の後端から軸方向後端へ伸びる大径部４５からなる。図に示すように、先筒５の内周面のテーパ部４３は、軸方向に関し先筒５の先端からチップ２３の先端が位置する点まで形成されている。肩部４４は、テーパ部４３後端から先筒５の軸心に対し略直角に先筒５の半径方向外側に広がり、その外側縁部は半径方向に関しリフィール７よりも外側に位置している。さらに、大径部４５は肩部４４の後端から先筒５の軸方向後端側へ直線状に伸びており、その直径は複数のリフィール７の画成する最大径の円の直径より大きくなっている。
【００１９】
テーパ部４３と肩部４４との境界線４７は、先筒５の半径方向において、チップ２３の頂点４８よりも外側に位置し、チップ２３のテーパ面４９の途中の地点に位置している。これにより、リフィール７が前進する際その途中において、チップ２３の先端が先筒５の内周面に触れず、チップ２３のテーパ面４９のみが先筒５の内周面に当接して、案内されることとなる。
【００２０】
以上の構成により、リフィール７は収納時において先筒５の内周面と接触することがない。したがって、繰出されたリフィール７と他のリフィール７との間に生ずる摩擦を軽減することができるため、リフィール７の収納がスムーズに行われ、先筒５でのリフィール７のつまり現象が生じ難くなる。
【００２１】
また、所望のリフィール７が繰出される際にと他のリフィール７が接触した場合であっても、他のリフィール７が逃げるスペースが確保されため、リフィール７の繰出しがスムーズになる。
【００２２】
さらに、図に破線で示すように、ノック棒１５をペン先方向へ押し下げてリフィール７を移動させた場合、境界線４７がチップ２３のテーパ面４９に接触し、以後チップ２３のテーパ面４９が先筒５のテーパ部４３に当たった状態で案内されるので、チップ２３の頂点４８が先筒５の内周面に接触することが無く、チップ２３の先端のボールを損傷したり、先筒５の内周面が汚れるのを防ぐことができる。
【００２３】
なお、上記実施形態では肩部４４は先筒５の軸心に対して略直角に広がっているが、後端側へ傾いて形成しても良い。
【００２４】
次に、図４を参照して本発明を具体化した第２の実施形態を説明する。図４は先筒における拡大断面図である。なお、本実施形態は、一部分を除き第１の実施形態と同一の構成からなるため、第１の実施の形態と同一の構成については説明を省略し、相違点についてのみ説明する。
【００２５】
本実施形態の多芯式ボールペン５１は、先筒５の内周面の形状、特に肩部５４の形状において第一の実施形態と異なっている。すなわち、本実施形態においては、肩部５４が内向きに凸となった円弧状に形成され、テーパ部５３に滑らかに繋がっている。
【００２６】
この構成により、本実施形態は前記第１の実施形態の有する効果に加え、以下の効果を奏する。すなわち、本実施形態における境界線５７は円弧状となり、これと接触するリフィール７の移動がよりスムーズとなる。
【図面の簡単な説明】
【００２７】
【図１】従来の多芯式ボールペンの断面図
【図２】図１における先筒の拡大図
【図３】第１の実施形態の多芯式ボールペンにおける先筒の拡大断面図
【図４】第２の実施形態の多芯式ボールペンにおける先筒の拡大断面図
【符号の説明】
【００２８】
１：多芯式ボールペン  ３：軸筒  ５：先筒  ７：リフィール  ９：ノック機構  １５：ノック棒  ２３：チップ  ４３：テーパ部    ４４：肩部  ４５：大径部  ４７：境界線  ４８：頂点  ４９：テーパ面
【図１】
2008162246.tif 000003
【図２】
2008162246.tif 000004
【図３】
2008162246.tif 000005
【図４】
2008162246.tif 000006